【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
アルコキシ官能性オルガノハイドロジェンシロキサンオリゴマーを調製する方法であって、前記方法が、
１）
（Ａ）単位式：
（ＨＲ１２ＳｉＯ１／２）ｅ（Ｒ１３ＳｉＯ１／２）ｆ（ＨＲ１ＳｉＯ２／２）ｇ（Ｒ１２ＳｉＯ２／２）ｈ（Ｒ１ＳｉＯ３／２）ｉ（ＨＳｉＯ３／２）ｊ（ＳｉＯ４／２）ｋ［式中、下付き文字ｅ、ｆ、ｇ、ｈ、ｉ、ｊ、及びｋは、５≧ｅ≧０、５≧ｆ≧０、１０≧ｇ≧０、５≧ｈ≧０であり、下付き文字ｉが０又は１であり、５≧ｊ≧０であり、下付き文字ｋが０又は１であるような値を有し、ただし、数値（ｅ＋ｇ＋ｊ）≧２、及び数値（ｅ＋ｆ＋ｇ＋ｈ＋ｉ＋ｊ＋ｋ）≦５０であり、各Ｒ１は、独立して、１〜１８個の炭素原子を有する一価炭化水素基又は１〜１８個の炭素原子を有する一価ハロゲン化炭化水素基である］のポリオルガノハイドロジェンシロキサンオリゴマーと、
（Ｂ）式：
【化１】
2020525562.tif 000001
［式中、各Ｒ２は、独立して、２〜１８個の炭素原子を有する脂肪族不飽和一価炭化水素基であり、各Ｒ３は、独立して、１〜１８個の炭素原子を有する一価炭化水素基であり、下付き文字ｃは、０又は１である］の脂肪族不飽和アルコキシシランと、
（Ｃ）ロジウムジホスフィンキレートと、を含む出発原料を反応させることによって、前記アルコキシ官能性オルガノハイドロジェンシロキサンオリゴマーを含む反応生成物を調製する工程と、
所望により、２）工程１）で調製した前記アルコキシ官能性オルガノハイドロジェンシロキサンオリゴマーを単離する工程と、を含む、方法。
【請求項２】
（Ｃ）前記ロジウムジホスフィンキレートが、（Ｃ１）及び（Ｃ２）から選択される式を有し、
（Ｃ１）は［（Ｒ４（Ｒ５２Ｐ）２）ＲｈＲ６］２［式中、各Ｒ４は、独立して、二価炭化水素基であり、各Ｒ５は、独立して、一価炭化水素基であり、各Ｒ６は、負に荷電した配位子である］であり、
（Ｃ２）は［（Ｒ４（Ｒ５２Ｐ）２）Ｒｈ（Ｘ）］Ｒ７［式中、Ｒ４、及びＲ５は、上述のとおりであり、Ｒ７は、アニオンであり、Ｘは、ドナー配位子である］である、請求項１に記載の方法。
【請求項３】
前記アルコキシ官能性オルガノハイドロジェンシロキサンオリゴマーが、単位式：
【化２】
2020525562.tif 000002
［式中、
Ｒ１、Ｒ３、並びに下付き文字ｃ、ｆ、ｈ、ｉ、及びｋは、上述のとおりであり、下付き文字ｂは、０〜２であり、ｍ＞０であり、数値（ｍ＋ｎ＋ｏ＋ｐ）＝（ｅ＋ｇ＋ｊ）であり、各Ｄは、独立して、２〜１８個の炭素原子を有する二価炭化水素基であり、ただし、工程１）で生成された全てのＤ基の＞９０モル％は、直鎖状である］を有する、請求項１又は２に記載の方法。
【請求項４】
（Ａ）前記ポリオルガノハイドロジェンシロキサンオリゴマーが、式：
【化３】
2020525562.tif 000003
［式中、下付き文字ａは、０〜１０である］を有する、請求項１又は２に記載の方法。
【請求項５】
前記アルコキシ官能性オルガノハイドロジェンシロキサンオリゴマーが、式：
【化４】
2020525562.tif 000004
［式中、Ｄは、２〜１８個の炭素原子を有する二価炭化水素基であり、ただし、Ｄの＞９０モル％は、直鎖状二価炭化水素基である］を有する、請求項４に記載の方法。
【請求項６】
（Ａ）前記ポリオルガノハイドロジェンシロキサンオリゴマーが、単位式：
（ＨＲ１２ＳｉＯ１／２）３（Ｒ１２ＳｉＯ２／２）ｑ（Ｒ１ＳｉＯ３／２）［式中、下付き文字ｑは、０〜３である］を有する、請求項１又は２に記載の方法。
【請求項７】
（Ａ）前記ポリオルガノハイドロジェンシロキサンオリゴマーが、式：
を有する、請求項６に記載の方法。
【化５】
2020525562.tif 000005
【請求項８】
前記アルコキシ官能性オルガノハイドロジェンシロキサンオリゴマーが、式：
【化６】
2020525562.tif 000006
又は両方［式中、各Ｄは、独立して、２〜１８個の炭素原子を有する二価炭化水素基であり、ただし、Ｄの＞９０モル％は、直鎖状二価炭化水素基である］を有する、請求項７に記載の方法。
【請求項９】
前記オルガノハイドロジェンシロキサンオリゴマーが、単位式：（Ｒ１ＨＳｉＯ２／２）ｓ［式中、下付き文字ｓは、少なくとも３である］の環式オルガノハイドロジェンシロキサンオリゴマーである、請求項１又は２に記載の方法。
【請求項１０】
前記アルコキシ官能性オルガノハイドロジェンシロキサンオリゴマーが、単位式：
（Ｒ１ＨＳｉＯ２／２）ｔ
【化７】
2020525562.tif 000007
［式中、下付き文字ｔは、０以上であり、下付き文字ｕは、１以上であり、数値（ｔ＋ｕ）＝ｓである］を有する、請求項９に記載の方法。
【請求項１１】
ポリアルコキシ官能性ポリオルガノシロキサンを調製する方法であって、前記方法が、
請求項１〜１０のいずれか一項に記載の方法工程により、アルコキシ官能性オルガノハイドロジェンシロキサンオリゴマーを調製する工程を含み、
（１）
（ａ）前記アルコキシ官能性オルガノハイドロジェンシロキサンオリゴマーと、
（ｂ）１分子当たり、平均して少なくとも２個の脂肪族不飽和一価炭化水素基を有するポリオルガノシロキサンと、
（ｃ）ヒドロシリル化反応触媒と、を含む出発原料を反応させる工程を更に含む、方法。
【請求項１２】
出発原料（ｂ）が、式：
【化８】
2020525562.tif 000008
［式中、下付き文字ｎは、１〜２，０００である］のポリジオルガノシロキサンである、請求項１１に記載の方法。
【請求項１３】
前記ポリアルコキシ官能性ポリオルガノシロキサンが、式：
【化９】
2020525562.tif 000009
［式中、各Ｄ１は、独立して、二価炭化水素基である］を有する、請求項１１に記載の方法。
【請求項１４】
前記ポリアルコキシ官能性ポリオルガノシロキサンが、式：
【化１０】
2020525562.tif 000010
［式中、各Ｄ１は、独立して、二価炭化水素基である］を有する、請求項１１に記載の方法。
【請求項１５】
縮合反応硬化性組成物を製造する方法であって、
請求項１１〜１４のいずれか一項に記載の方法工程により、ポリアルコキシ官能性ポリオルガノシロキサンを調製する工程を含み、
（ｉ）前記ポリアルコキシ官能性ポリオルガノシロキサンと、
（ｉｉ）縮合反応触媒と、を含む出発物質を混合する工程を更に含む、方法。
【請求項１６】
前記縮合反応触媒が、チタネート触媒を含む、請求項１５に記載の方法。
【請求項１７】
前記組成物が、１つ以上の追加出発原料を更に含み、前記１つ以上の追加出発原料は、（ｉｉｉ）充填剤、（ｉｖ）充填剤処理（ｖ）架橋剤、（ｖｉ）接着促進剤、（ｖｉｉ）乾燥剤、（ｖｉｉｉ）増量剤、可塑剤、又はこれらの組み合わせ、（ｉｘ）殺生物剤、（ｘ）難燃剤、（ｘｉ）鎖延長剤、（ｘｉｉ）末端封鎖剤、（ｘｉｉｉ）非反応性結合剤、（ｘｉｖ）劣化防止添加剤、（ｘｖ）水放出剤、（ｘｖｉ）顔料、（ｘｖｉｉ）レオロジー添加剤、（ｘｖｉｉｉ）賦形剤（例えば、溶媒及び／又は希釈剤）、（ｘｉｘ）粘着付与剤、（ｘｘ）腐食防止剤、並びに（ｉｉｉ）、（ｉｖ）、（ｖ）、（ｖｉ）、（ｖｉｉ）、（ｖｉｉｉ）、（ｉｘ）、（ｘ）、（ｘｉ）、（ｘｉｉ）、（ｘｉｉｉ）、（ｘｉｖ）、（ｘｖ）、（ｘｖｉ）、（ｘｖｉｉ）、（ｘｖｉｉｉ）、（ｘｉｘ）、及び（ｘｘ）のうちの２つ以上の組み合わせからなる群から選択される、請求項１５に記載の方法。